(57)【特許請求の範囲】
【請求項１】
画像または映像の情報である映像情報と、少なくとも複製禁止および複製許可のうち何れか１つを表す識別情報とを含む記録再生情報が記録されたデジタルディスクから、この記録再生情報を読み出し、外部に出力する情報再生装置であって、
前記記録再生情報が記録された前記デジタルディスクからこの記録再生情報を読み出す読出手段と、
前記読出手段により読み出された記録再生情報内に含まれている識別情報が複製禁止を表しているか複製許可を表しているかを判定する識別情報判定手段と、
前記デジタルディスクが再生専用ディスクか記録可能ディスクかを判定するディスク判定手段と、
前記識別情報判定手段および前記ディスク判定手段の判定結果に基づいて、前記読出手段により読み出された記録再生情報の外部への出力を許可するか禁止するかを制御する出力制御手段と、
前記出力制御手段による制御に従って、前記読出手段により読み出された記録再生情報を外部に出力する出力手段とを備え、
前記ディスク判定手段は、前記デジタルディスクの情報記録面上に形成された螺旋状のトラックの途中に、前記デジタルディスクの半径方向に互いに隣接するトラックを接続することにより前記トラックに照射される光ビームが前記デジタルディスクの半径方向に移動するのを止めるループトラックがあるか否かを検出することにより、前記デジタルディスクが再生専用ディスクか記録可能ディスクかを判定することを特徴とする情報再生装置。
【請求項２】
前記識別情報は、前記画像または映像内に埋め込まれた電子透かし情報である請求項１に記載の情報再生装置。
【請求項３】
前記識別情報は、前記記録再生情報の複製世代を管理するＣＧＭＳ(Copy Generation Management System)情報である請求項１又は２に記載の情報再生装置。
【発明の詳細な説明】
【０００１】
【発明の属する技術分野】
本発明は、ＤＶＤ等のデジタルディスクに記録されたデジタル情報を再生する情報再生装置に関し、特に、不正に複製されたデジタル情報の再生を禁止する機能を備えた情報再生装置に関する。
【０００２】
【従来の技術】
ＤＶＤは、膨大な記録容量を有するデジタルディスクであり、例えば、映画一本分に相当するデジタル映像情報を記録することができる。このため、ＤＶＤは、ＶＨＳ方式のビデオカセットに代わる映像記録媒体として普及し始めている。また、ＤＶＤには、記録または書換が不可能な再生専用のＤＶＤと、記録または書換が可能なＤＶＤとが存在する。記録または書換が可能なＤＶＤを用いれば、ＤＶＤに記録された映画をデジタルのまま複製することが可能となる。このようなＤＶＤは、映画等を記録して販売するための記録媒体として、さらなる普及が望まれている。
【０００３】
ところで、映画等を無断で複製する行為は著作権法等により制限されている。特に、映画等をデジタルのまま複製した場合には、映像の品質劣化が生じない。このため、ＤＶＤの普及を促進するためにも、ＤＶＤを介してデジタル映像情報の複製を厳しく制限する必要がある。
【０００４】
デジタル映像情報の記録または複製を制限するために、様々な方法が提案されている。例えば、デジタル映像情報をＤＶＤに記録するとき、このデジタル映像情報内に、複製を制限するための識別情報を埋め込む方法（ＣＧＭＳ：Copy Generation Management System）が提案されている。この識別情報は、▲１▼複製を禁止する（複製禁止）、▲２▼１世代のみ複製を許可する（１世代複製許可）、▲３▼無制限に複製を許可する（複製許可）のうち何れか１つを表す。このような識別情報が埋め込まれたデジタル映像情報を他のＤＶＤに複製するとき、記録装置は、デジタル映像情報内から識別情報を読み出し、もしこの識別情報が複製禁止を表している場合には、このデジタル映像情報の記録を行わない。
【０００５】
また、これと同様の働きを有する識別情報を、画像または映像の可視範囲内に電子透かしとして埋め込むことによって、画像または映像の複製を制限する方法も提案されている。
【０００６】
【発明が解決しようとする課題】
ところで、光ビームを用いて情報の読出または記録を行う際の光学的な理由により、デジタル映像情報は、ＤＶＤに記録される直前の段階でＲＦ（Radio Frequency）信号に変換される。また、デジタル映像情報を再生するときには、ＤＶＤからＲＦ信号が読み出され、このＲＦ信号が復調回路で復調されることによってデジタル映像情報が生成される。そして、この段階になって初めて、ＣＧＭＳまたは電子透かしの検出が可能となる。
【０００７】
このため、ＤＶＤ上に記録されたＲＦ信号を読み出し、そのＲＦ信号をそのまま他の記録可能なＤＶＤに記録する行為がなされた場合には、上述したＣＧＭＳによっても電子透かしによってもデジタル映像情報の複製を制限することはできないという問題がある。
【０００８】
本発明は、上述した問題に鑑みなされたものであり、ＤＶＤ等のデジタルディスクに記録されたＲＦ信号を直接他のデジタルディスクに記録することによって複製されたデジタル映像情報の再生を禁止することができる情報再生装置を提供することを目的としている。
【０００９】
【課題を解決するための手段】
上記課題を解決するために、請求項１に記載の情報再生装置は、画像または映像の情報である映像情報と、少なくとも複製禁止および複製許可のうち何れか１つを表す識別情報とを含む記録再生情報が記録されたデジタルディスクから、この記録再生情報を読み出し、外部に出力する情報再生装置であって、記録再生情報が記録されたデジタルディスクからこの記録再生情報を読み出す読出手段と、読出手段により読み出された記録再生情報内に含まれている識別情報が複製禁止を表しているか複製許可を表しているかを判定する識別情報判定手段と、デジタルディスクが再生専用ディスクか記録可能ディスクかを判定するディスク判定手段と、識別情報判定手段およびディスク判定手段の判定結果に基づいて、読出手段により読み出された記録再生情報の外部への出力を許可するか禁止するかを制御する出力制御手段と、出力制御手段による制御に従って、読出手段により読み出された記録再生情報を外部に出力する出力手段とを備え、ディスク判定手段は、デジタルディスクの情報記録面上に形成された螺旋状のトラックの途中に、デジタルディスクの半径方向に互いに隣接するトラック間を接続することによりトラックに照射される光ビームがデジタルディスクの半径方向に移動するのを止めるループトラックがあるか否かを検出することにより、デジタルディスクが再生専用ディスクか記録可能ディスクかを判定する。
【００１０】
上述したように、識別情報は、少なくとも複製禁止および複製許可のうち何れか１つを表す。複製禁止とは、記録再生情報のデジタルディスクへの記録を禁止することを意味する。複製許可とは、記録再生情報のデジタルディスクへの記録を制限しないことを意味し、１世代のみ、または、２世代以上の複製物の作成を許可することを意味する。また、識別情報は、互いに異なる２通りの状態により複製禁止と複製許可とをそれぞれ表すものであってもよい。また、識別情報は、当該識別情報自体が記録再生情報内に存在しているときには、複製禁止を表し、存在していないときには複製許可を表すものであってもよい。
【００１１】
さらに、情報再生装置の読取手段は、記録再生情報が記録されたデジタルディスクからこの記録再生情報を読み出す。識別情報判定手段は、この読み出された記録再生情報内に含まれている識別情報が複製禁止を表しているか複製許可を表しているかを判定する。これにより、デジタルディスクに記録されている記録再生情報にかけられた複製制限を認識することができる。
【００１２】
さらに、ディスク判定手段は、デジタルディスクが再生専用ディスクか記録可能ディスクかを判定する。これにより、記録再生情報が記録されているディスクの種類を認識することができる。
【００１３】
そして、出力制御手段は、記録再生情報にかけられた複製制限と、この記録再生情報が記録されているデジタルディスクの種類との関係を認識し、この認識結果に従って、読出手段により読み出された記録再生情報の外部への出力を許可するか禁止するかを制御する。
【００１４】
例えば、記録再生情報にかけられた複製制限が複製許可であり、デジタルディスクの種類が記録可能である場合には、出力制御手段は、複製許可の記録再生情報が記録可能なデジタルディスクに記録されていることを認識する。これは、正常な記録状態であり、記録再生情報が適正に複製されたことを示しているので、出力制御手段は、記録再生情報の外部への出力を許可する。これにより、出力手段は、読出手段により読み出された記録再生情報を外部に出力する。
【００１５】
一方、記録再生情報にかけられた複製制限が複製禁止であり、デジタルディスクの種類が記録可能である場合には、出力制御手段は、記録再生情報が複製禁止であるにも拘わらず、記録可能なデジタルディスクに既に記録されていることを認識する。これは、異常な記録状態であり、記録再生情報が不正に複製された可能性があることを示している。デジタルディスクに記録されたＲＦ信号を直接他のデジタルディスクに記録すると、このような異常な記録状態が生じる。このような場合、出力制御手段は、記録再生情報の外部への出力を禁止する。これにより、出力手段は、読出手段により読み出された記録再生情報を外部に出力しない。従って、不正に複製された記録再生情報の出力を禁止することができる。
記録可能なデジタルディスクの情報記録面上に形成されたトラックの途中には、上述したようなループトラックが存在するが、再生専用のデジタルディスクの情報記録面上に形成されたトラックの途中には、上述したようなループトラックは存在しない。ディスク判定手段は、このようなデジタルディスクの物理的な構造の違いを検出することにより、デジタルディスクが再生専用ディスクか記録可能ディスクかを判定する。
ここで、ループトラックは、複製制限機能を備えていない非準拠記録装置、例えば、上述した識別情報を無視して記録を実行するような記録装置によって、記録再生情報が無制限にデジタルディスクに複製されるのを防止するための機構である。通常、記録装置は、デジタルディスクを回転させながら、光ビームをデジタルディスクの情報記録面上に照射し、この光ビームをデジタルディスクの半径方向に移動させることによって記録再生情報の記録を行う。さらに具体的に説明すると、記録装置は、光ビームが情報記録面上に形成された螺旋状のトラック上を常に照射するように、光ビームの照射位置をサーボ制御する。この結果、光ビームはデジタルディスクの半径方向に移動する。従って、螺旋状に伸長するトラックの途中において、半径方向に互いに隣接するトラック間を接続し、その接続部分を介してトラックの無限ループ、即ち、ループトラックを形成すれば、光ビームの半径方向の移動をこのループトラックで止めることができる。情報の記録中に光ビームの移動が止まると、情報の記録が中止されるか、情報がループトラック上に何度も上書きされることとなるため、結果的に、記録再生情報がデジタルディスクに記録されるのを防止することができる。なお、複製制限に関する規則に準拠し、複製制限機能を備えた正規の記録装置は、上述したようなループトラックの位置を予め知っており、ループトラックをとばして複製許可の記録再生情報の記録をするようになっている。
【００２５】
さらに、請求項２の記載のように、識別情報を、画像または映像内に埋め込まれた電子透かし情報とする。また、請求項３の記載のように、識別情報を、記録再生情報の複製世代を管理するＣＧＭ(Copy Generation Management System)情報としてもよい。
【００２６】
【発明の実施の形態】
以下、本発明の実施の形態を添付図面に従って説明する。
【００２７】
まず、本発明の第１の実施形態を図１ないし図１６に従って説明する。本実施形態では、本発明による情報再生装置を、デジタル衛星放送システムから送信されたデジタル映像情報、または、予めＤＶＤに記録されたデジタル映像情報を記録、再生または複製するための記録再生システムに適用した場合を例に挙げて説明する。
【００２８】
I．第１の実施形態
（１）記録再生システム
図１は、デジタル衛星放送システムおよび記録再生システム等を示している。
【００２９】
図１に示すように、記録再生システム１００は、記録装置１０、本発明の実施形態による再生装置５０および衛星放送受信機３０１を備えている。記録装置１０は、外部から入力されるデジタル映像情報ＤＰまたはアナログ映像情報ＡＰを、記録可能または書換可能な記録媒体であるＤＶＤ１に記録する装置である。即ち、記録装置１０は、デジタル映像情報ＤＰを入力するためのデジタル入力端子とアナログ映像情報ＡＰを入力するためのアナログ入力端子を備えており、デジタル入力端子から入力されるデジタル映像情報ＤＰをデジタルの状態のままＤＶＤ１に記録し、アナログ入力端子から入力されるアナログ映像情報ＡＰをデジタル映像情報ＤＰに変換してＤＶＤ１に記録する。
【００３０】
再生装置５０は、記録装置１０によってＤＶＤ１に記録されたデジタル映像情報ＤＰを読み出し、このデジタル映像情報ＤＰをデジタルの状態のまま、または、このデジタル映像情報ＤＰをアナログ映像情報ＡＰに変換して外部に出力する装置である。再生装置５０は、デジタル映像情報ＤＰを出力するためのデジタル出力端子とアナログ映像情報ＡＰを出力するためのアナログ出力端子を備えている。例えば、ＣＲＴ(Cathode Ray Tube）またはＰＤＰ（Plasma Display Panel）等のアナログモニタ装置（図示せず）を再生装置５０のアナログ出力端子に接続すれば、ＤＶＤ１にデジタル映像情報ＤＰとして記録された画像または映像の再生が可能となる。また、図１に示すように、再生装置５０のデジタル出力端子を記録装置１０のデジタル入力端子に接続すれば、ＤＶＤ１に記録されたデジタル映像情報ＤＰをデジタルの状態のまま再生装置５０から記録装置１０に出力することができ、デジタル映像情報ＤＰを記録装置１０によって他のＤＶＤに記録することが可能となる。このように、再生装置５０のデジタル出力端子と記録装置１０のデジタル入力端子とを接続すれば、デジタル映像情報ＤＰのデジタル伝送による複製が可能となる。さらに、図１に示すように、再生装置５０のアナログ出力端子と記録装置１０のアナログ入力端子とを接続すれば、デジタル映像情報ＤＰのアナログ伝送による複製が可能となる。
【００３１】
なお、図１中の衛星放送システム２００は、例えば、放送局に設けられており、映画、コンサート、テレビ番組等のデジタル衛星放送を行うシステムである。また、衛星放送受信機３０１は、衛星放送システム２００によるデジタル衛星放送を受信する装置であり、ＩＲＤ（Integrated Receiver Decoder）または、ＳＴＢ（Set Top Box）によって構成されている。即ち、衛星放送受信機３０１は、放送局から送信された電波を受信し、受信した電波に含まれるデジタル映像情報ＤＰを出力する。さらに、衛星放送受信機３０１は、受信した電波に含まれるデジタル映像情報ＤＰをアナログ映像情報ＡＰに変換して出力することもできる。
【００３２】
ここで、例えば、ＭＰＥＧ２で圧縮されたデジタル映像情報ＤＰは、デジタル映像データ、各種ヘッダおよび付加情報等を含むデジタルデータである。デジタル映像データは、映画、コンサート、テレビ番組等を構成する画像または映像をデジタル化したデータである。なお、デジタル映像情報ＤＰのデータフォーマットは、デジタル映像情報ＤＰがＤＶＤ１に記録されているときと、デジタル映像情報ＤＰが各装置間で伝送されるときとで異なる。また、アナログ映像情報ＡＰは、デジタル映像情報ＤＰに対応するアナログビデオ信号である。
【００３３】
また、デジタル映像情報ＤＰおよびアナログ映像情報ＡＰは、複製禁止（Never Copy）、１回複製許可（One Copy or One Generation Copy）、複製許可（Copy Free）のうち何れか１つの複製制限がかけられている。複製禁止とは、デジタル映像情報ＤＰまたはアナログ映像情報ＡＰの記録媒体への記録を一切禁止することを意味する。１回複製許可とは、デジタル映像情報ＤＰまたはアナログ映像情報ＡＰの記録媒体への記録を１回のみ許可することを意味し、いわゆる１世代の複製物の作成は許可するが、２世代以上の複製物の作成は禁止することを意味する。複製許可とは、デジタル映像情報ＤＰまたはアナログ映像情報ＡＰの記録媒体への記録を制限しないことを意味し、１世代はもちろん２世代以上の複製物の作成を許可することを意味する。
【００３４】
例えば、図１に示すように、衛星放送システム２００によって、映画をデジタル衛星放送する場合、衛星放送システム２００から送信され、衛星放送受信機３０１に受信されたデジタル映像情報ＤＰは、通常、１回だけ記録することが許される。この場合、デジタル映像情報ＤＰは１回複製許可とされる。また、図１に示すように、映画等のデジタル映像情報ＤＰが再生専用なＤＶＤ２に予め記録されて市販される場合、ＤＶＤ２に記録されたデジタル映像情報ＤＰは、通常、複製が一切禁止される。この場合、デジタル映像情報ＤＰは複製禁止とされる。さらに、デジタル映像情報ＤＰが記録されたＤＶＤ２が無料配布される場合等には、デジタル映像情報ＤＰは、複製が制限されない場合が多い。この場合、デジタル映像情報ＤＰは複製許可とされる。
【００３５】
また、デジタル映像情報ＤＰおよびアナログ映像情報ＡＰには、電子透かし、複製制限符号およびＣＧＭＳ（Copy Generation Management System）に基づく符号（以下、これを「ＣＧＭＳ」という）が埋め込まれている。これらは、デジタル映像情報ＤＰおよびアナログ映像情報ＡＰにかけられた複製制限を記録装置１０および再生装置５０に認識させるための識別情報である。記録装置１０および再生装置５０は、これら電子透かし、複製制限符号およびＣＧＭＳのそれぞれの配置、判定方法およびスクランブル処理方法等を定めた複製制限に関する所定の規則に準拠している。そして、後述するように、記録装置１０および再生装置５０は、電子透かし、複製制限符号およびＣＧＭＳに基づいて、デジタル映像情報ＤＰおよびアナログ映像情報ＡＰの記録および再生を制限することができる。
【００３６】
次に、電子透かし、複製制限符号およびＣＧＭＳについて説明する。電子透かし（ウォータマーク、Watermark）は、画像または映像内に、画像または映像自体の品質を劣化させないように埋め込まれる。電子透かしは、複製禁止、１回複製禁止および複製許可のうち何れか１つを表す。なお、本実施形態では、画像または映像内に電子透かしが存在しないときに、複製許可を表すものとする。また、電子透かしは、記録装置１０または再生装置５０によって変更されることがない。
【００３７】
複製制限符号は、画像または映像内に埋め込まれ、前記画像または映像の表示範囲の周縁部近傍に配置される。複製制限符号は、１回複製許可、および、これ以上複製禁止（No More Copy）のうち何れか１つを表す。これ以上複製禁止は、１回複製許可のデジタル映像情報ＤＰまたはアナログ映像情報ＡＰが、既に１回ＤＶＤ１等に記録されたため、これ以上の複製を禁止することを意味する。さらに、複製制限符号は、１回複製許可のデジタル映像情報ＤＰまたはアナログ映像情報ＡＰを記録装置１０によってＤＶＤ１に記録し、このＤＶＤ１に記録されたデジタル映像情報ＤＰを再生装置５０によって読み出し、アナログ映像情報ＡＰに変換して外部に出力するとき、再生装置５０によって１回複製許可からこれ以上複製禁止に変更される。
【００３８】
また、複製制限符号は、互いに異なる２つの状態で１回複製許可とこれ以上複製禁止とをそれぞれ表す。なお、複製制限符号がデジタル映像情報ＤＰまたはアナログ映像情報ＡＰに存在するとき、１回複製許可を表し、存在しないとき、これ以上複製禁止を表すようにしてもよい。この場合、１回複製許可のデジタル映像情報ＤＰまたはアナログ映像情報ＡＰを記録装置１０によってＤＶＤ１に記録し、このＤＶＤ１に記録されたデジタル映像情報ＤＰを再生装置５０によって読み出し、アナログ映像情報ＡＰに変換して外部に出力するときに、複製制限符号は、再生装置５０によって削除される。
【００３９】
ここで、複製制限符号の埋込位置について、アナログ映像情報ＡＰがＮＴＳＣ（National Television System Committee）方式のビデオ信号である場合を例に挙げ、図２および図３に従って説明する。図２に示すように、ＮＴＳＣ方式のビデオ信号には、水平同期信号ＳＨ、バースト信号ＳＢ、画像または映像を形成するための実体画像信号ＳＧ等が含まれている。このうち、実体画像信号ＳＧに相当する期間が水平走査期間ＴＨＳであり、実体画像信号ＳＧと次の実体画像信号ＳＧとの間の期間が水平帰線消去期間ＴＨＢである。
【００４０】
ＣＲＴまたはＰＤＰに映し出される画像または映像は、水平走査期間ＴＨＳ内において実体画像信号ＳＧによって形成される。ところが、図３に示すように、ＣＲＴまたはＰＤＰにおいて、視聴者が実際に見ることができる表示範囲ＡＲ１は、一般に、実体画像信号ＳＧによって形成される画像または映像の形成範囲ＡＲ２の内側に存在する場合が多い。この結果、表示範囲ＡＲ１の外側であって、表示範囲ＡＲ１の周縁部近傍は、視聴者が実際に見ることができない部分である。なお、ＣＲＴまたはＰＤＰの機種によっては、表示範囲ＡＲ１と形成範囲ＡＲ２とがほぼ一致するものがあるが、この場合でも、画像または映像の周縁部分は、視聴者の目に入りにくい部分であり、画像または映像にほとんど影響を与えない部分である。
【００４１】
そこで、図３に示すように、複製制限符号ＣＰＣは、画像または映像の形成範囲ＡＲ２内であるが、画像または映像の表示範囲ＡＲ１の外側であって表示範囲ＡＲ１の周縁部近傍に埋め込まれる。画像または映像の表示範囲ＡＲ１の外側であって表示範囲ＡＲ１の周縁部近傍は、水平走査期間ＴＨＳの開始部分Ｐ１および終了部分Ｐ２に位置する実体画像信号ＳＧによって形成される。従って、複製制限符号ＣＰＣは、図２に示すように、水平走査期間ＴＨＳの開始部分Ｐ１および終了部分Ｐ２に位置する実体画像信号ＳＧに埋め込まれる。同様に、複製制限符号ＣＰＣは、垂直走査期間の開始部分および終了部分に位置する実体画像信号にも埋め込まれる。
【００４２】
ＣＧＭＳは、複製世代管理方式（Copy Generation Management System）に基づく複製制限を行うための識別情報であり、電子透かしと同様に、複製禁止、１回複製許可および複製許可のうち何れか１つを表す。また、ＣＧＭＳは、デジタル映像情報ＤＰに付加するためのＣＧＭＳ−Ｄと、アナログ映像情報ＡＰに付加するためのＣＧＭＳ−Ａの２種類の形態がある。ＣＧＭＳ−Ｄは、デジタル映像情報ＤＰのデータフォーマットがＤＶＤに記録するためのデータフォーマットであるとき、デジタル映像情報ＤＰを構成する各セクタのヘッダ領域に書き込まれる。また、ＣＧＭＳ−Ａは、ビデオ信号（アナログ映像情報ＡＰ）の水平走査線の、例えば、第２０ラインおよび第２８３ラインの各走査開始部分にパルス信号として埋め込まれる。また、ＣＧＭＳは、１回複製許可のデジタル映像情報ＤＰまたはアナログ映像情報ＡＰを記録装置１０によってＤＶＤ１に記録するときに、記録装置１０によって、１回複製許可から複製禁止に変更される。
【００４３】
本実施形態では、デジタル映像情報ＤＰまたはアナログ映像情報ＡＰが複製禁止の場合には、複製禁止を表す電子透かしおよび複製禁止を表すＣＧＭＳが埋め込まれる。デジタル映像情報ＤＰまたはアナログ映像情報ＡＰが１回複製許可の場合には、１回複製許可を表す電子透かし、１回複製許可を表す複製制限符号および１回複製許可を表すＣＧＭＳが埋め込まれる。さらに、デジタル映像情報ＤＰまたはアナログ映像情報ＡＰが複製許可の場合には、少なくとも複製許可を表すＣＧＭＳが埋め込まれる。
【００４４】
（２）衛星放送受信機
次に、上述した衛星放送受信機３０１について説明する。衛星放送受信機３０１は、衛星放送システム２００から受信した電波に含まれるデジタル映像情報ＤＰをデジタルのままで、または、アナログ映像情報ＡＰに変換して出力することができる。従って、映像放送受信機３０１は、アナログ映像情報ＡＰを出力するためのアナログ出力端子と、デジタル映像情報ＤＰを出力するためのデジタル出力端子を備えている。
【００４５】
さらに、映像放送受信機３０１は、受信したデジタル映像情報ＤＰに含まれる電子透かし、および、デジタル出力端子に接続されている外部装置の種別に基づいて、デジタル映像情報ＤＰをデジタル出力端子から出力するか否かを制御する機能を備えている。
【００４６】
ここで、この機能について図４に基づいて説明する。衛星放送受信機３０１は、デジタル映像情報ＤＰを受信すると、まず、このデジタル映像情報ＤＰ内に埋め込まれている電子透かしを検出し、この電子透かしが複製禁止を表しているか、１回複製許可を表しているか、または、複製許可を表しているかを判定する（ステップ３１）。次に、衛星放送受信機３０１のデジタル出力端子に接続されている外部装置の種別が、衛星放送受信機３０１に予め登録されている認定装置の種別と一致するか否かを判定する（ステップ３２）。ここで、衛星放送受信機３０１には、当該記録再生システム１００の記録装置１０およびデジタル映像情報ＤＰを記録媒体に記録する機能を備えていない認定装置、例えばデジタルモニタ装置等が登録されている。そして、衛星放送受信機３０１は、電子透かしの状態と外部装置が認定装置か否かの判定に基づき、受信したデジタル映像情報ＤＰをデジタル出力するか否かを判定する（ステップ３３）。
【００４７】
ここで、図５は、衛星放送受信機３０１における各判定と制御の関係を示す制御管理表である。なお、衛星放送受信機３０１には、この制御管理表に対応する制御管理テーブルが記録されており、衛星放送受信機３０１は、この制御管理テーブルを用いて、上記ステップ３３の判定を行う。
【００４８】
即ち、図５中の制御管理表の第１行に示すように、電子透かしが複製禁止を表しており、デジタル出力端子に接続されている外部装置の種別が認定装置の種別と一致するとき、衛星放送受信機３０１は、デジタル映像情報ＤＰをデジタル出力端子から出力する（ステップ３４）。一方、制御管理表の第２行に示すように、デジタル出力端子に接続されている外部装置の種別が認定装置の種別と一致しないときには、衛星放送受信機３０１は、デジタル映像情報ＤＰのデジタル出力端子からの出力を行わない（ステップ３５）。これにより、例えばモニタ装置以外の記録機能を備えた装置等に複製禁止のデジタル映像情報ＤＰを出力するのを防止することができ、デジタル映像情報ＤＰのデジタル伝送による複製を制限することができる。
【００４９】
また、制御管理表の第３行に示すように、電子透かしが１回複製許可を表しており、デジタル出力端子に接続されている外部装置の種別が認定装置の種別と一致するとき、衛星放送受信機３０１は、デジタル映像情報ＤＰをデジタル出力端子から出力する（ステップ３４）。一方、制御管理表の第４行に示すように、デジタル出力端子に接続されている外部装置の種別が認定装置の種別と一致しないときには、衛星放送受信機３０１は、デジタル映像情報ＤＰのデジタル出力端子からの出力を行わない（ステップ３５）。これにより、例えば記録装置１０以外の記録装置に１回複製許可のデジタル映像情報ＤＰを出力するのを防止することができ、デジタル映像情報ＤＰのデジタル伝送による複製を制限することができる。
【００５０】
さらに、制御管理表の第５行に示すように、電子透かしが複製許可を表しているとき、衛星放送受信機３０１は、デジタル映像情報ＤＰをデジタル出力端子から出力する（ステップ３４）。
【００５１】
（３）記録装置
次に、記録再生システム１００の記録装置１０について図６ないし図８に従って詳細に説明する。
【００５２】
図６に示すように、記録装置１０は、デジタル入力端子１１、アナログ入力端子１２、アナログ−デジタル変換器１３、ＭＰＥＧエンコーダ１４、切換スイッチ１５、ＣＧＭＳ−Ｄ検出器１６、ＣＧＭＳ−Ａ検出器１７、電子透かし検出器１８、複製制限符号検出器１９、記録コントローラ２０、フォーマット変換器２１、スクランブル処理器２２、切換スイッチ２３、エラー訂正符号付加器２４、認証符号付加器２５および記録器２６を備えている。
【００５３】
例えば、記録装置１０のアナログ入力端子１２に、上述した衛星放送受信機３０１のアナログ出力端子、または、再生装置５０のアナログ出力端子が接続された場合には、衛星放送受信機３０１または再生装置５０から出力されたアナログ映像情報ＡＰがアナログ入力端子１２から記録装置１０内に入力される。そして、このアナログ映像情報ＡＰは、アナログ−デジタル変換器１３およびＣＧＭＳ−Ａ検出器１７にそれぞれ入力される。アナログ−デジタル変換器１３は、アナログ映像情報ＡＰをアナログ−デジタル変換して、ＭＰＥＧエンコーダ１４および複製制限符号検出器１９にそれぞれ出力する。ＭＰＥＧエンコーダ１４は、アナログ−デジタル変換器１３から出力された映像情報を、ＭＰＥＧ２（Moving Picture Expert Group Phase 2）に基づく符号化方式を用いて符号化する。このように、アナログ映像情報ＡＰは、アナログ−デジタル変換器１３およびＭＰＥＧエンコーダ１４によってデジタル映像情報ＤＰに変換され、切換スイッチ１５に入力される。
【００５４】
ＭＰＥＧエンコーダ１４から切換スイッチ１５に入力されたデジタル映像情報ＤＰは、切換スイッチ１５を介して、電子透かし検出器１８およびフォーマット変換器２１に出力される。なお、切換スイッチ１５は、アナログ入力端子１２からの入力とデジタル入力端子１１からの入力とを切り換えるためのスイッチである。切換スイッチ１５の切換制御は、記録コントローラ２０から出力される切換制御信号ＳＣＳ１に基づいて行われる。
【００５５】
電子透かし検出器１８は、切換スイッチ１５を介して入力されたデジタル映像情報ＤＰから電子透かしを検出し、この電子透かしに対応する電子透かし情報ＣＰＩ１を複製制限符号検出器１９および記録コントローラ２０に出力する。複製制限符号検出器１９は、アナログ−デジタル変換器１３から出力された映像情報から複製制限符号を検出し、この複製制限符号に対応する複製制限情報ＣＰＩ２を記録コントローラ２０に出力する。なお、複製制限符号検出器１９は、デジタル映像情報ＤＰから複製制限符号を検出する際に、電子透かし検出器１８から出力される電子透かし情報ＣＰＩ１を用いてもよい。ＣＧＭＳ−Ａ検出器１７は、アナログ入力端子１１から入力されたアナログ映像情報ＡＰからＣＧＭＳ−Ａを検出し、このＣＧＭＳ−Ａに対応するＣＧＭＳ情報ＣＰＩ４を記録コントローラ２０に出力する。
【００５６】
フォーマット変換器２１は、切換スイッチ１５を介して入力されたデジタル映像情報ＤＰのデータフォーマットを、ＤＶＤに記録するためのデータフォーマットに変換する。具体的に説明すると、フォーマット変換器２１において、デジタル映像情報ＤＰは複数のセクタに分割される。各セクタは、当該セクタの先頭部分に位置するヘッダ領域と、中間部分に位置するデータ領域と、末尾部分に位置するエラー検出符号領域とからなる。ヘッダ領域には、ＤＶＤの記録および再生に必要なアドレス管理情報およびデータ制御情報等が書き込まれる。データ領域には、画像または映像に対応するデジタル映像データが書き込まれる。エラー検出符号領域には、各セクタのエラーを検出するためのエラー検出符号が書き込まれる。さらに、フォーマット変換器２１は、記録コントローラ２０からＣＧＭＳ情報を取得し、このＣＧＭＳ情報に対応するＣＧＭＳ−Ｄを生成し、このＣＧＭＳ−Ｄをデジタル映像情報ＤＰを構成する各セクタのヘッダ領域に付加する。なお、音声情報をデジタル映像データに合成する必要がある場合には、フォーマット変換器２１は、図示しない音声処理回路から音声情報を取得し、この音声情報をデジタル映像データに合成してから、この合成データを各セクタのデータ領域に書き込む。
【００５７】
ＣＧＭＳ−Ｄが付加されたデジタル映像情報ＤＰは、フォーマット変換器２１からスクランブル処理器２２および切換スイッチ２３にそれぞれ入力される。スクランブル処理器２２は、デジタル映像情報ＤＰを構成する各セクタのデータ領域に記録されたデジタル映像データにスクランブルをかける。これにより、デジタル映像情報ＤＰは、スクランブルを解除しない限り再生不可能なデータとなる。
【００５８】
切換スイッチ２３は、フォーマット変換器２１からスクランブル処理器２２を介して出力されたデジタル映像情報ＤＰとフォーマット変換器２１から直接出力されたデジタル映像情報ＤＰとを切り換えるためのスイッチである。切換スイッチ２３の切換制御は、記録コントローラ２０から出力される切換制御信号ＳＣＳ２に基づいて行われる。これにより、記録コントローラ２０の制御に従って、スクランブルのかかったデジタル映像情報ＤＰとスクランブルのかかっていないデジタル映像情報ＤＰを切り換えることができる。
【００５９】
切換スイッチ２３を介して出力されたデジタル映像情報ＤＰは、エラー訂正符号付加器２４によってエラー訂正符号が付加され、認証符号付加器２５に入力される。認証符号付加器２５は、エラー訂正符号が付加されたデジタル映像情報ＤＰに認証符号を付加する。
【００６０】
ここで、認証符号とは、当該記録装置１０によってデジタル映像情報ＤＰがＤＶＤ１に記録されたことを証明するための情報である。認証符号は、デジタル映像情報ＤＰを再生装置５０によって再生するとき、再生装置５０によって検出される。また、認証符号中に、上述したスクランブルを解除するためのスクランブル解除情報を含ませてもよい。なお、認証符号は、エラー訂正符号が付加されたデジタル映像情報ＤＰに、故意のエラーとして付加される非常に小さいデータである。このため、認証符号は、再生装置５０によって検出された後、再生装置５０におけるエラー訂正によって消失する。
【００６１】
認証符号付加器２５によって認証符号が付加されたデジタル映像情報ＤＰは、記録器２６に入力される。記録器２６は、記録コントローラ２０が記録を許可したとき、デジタル映像情報ＤＰを記録可能または書換可能なＤＶＤ１に記録する。
【００６２】
一方、記録コントローラ２０が記録を禁止したときには、記録器２６はデジタル映像情報ＤＰのＤＶＤ１への記録を行わない。このような記録器の２６の動作は、記録コントローラ２０から出力される記録制御信号ＷＣＳによって制御される。
【００６３】
一方、記録装置１０のデジタル入力端子１１に、上述した衛星放送受信機３０１のデジタル出力端子、または、再生装置５０のデジタル出力端子が接続された場合には、衛星放送受信機３０１または再生装置５０から出力されたデジタル映像情報ＤＰがデジタル入力端子１１から記録装置１０内に入力される。なお、上述したように、衛星放送受信機３０１は、デジタル出力端子に接続された外部装置が当該記録再生システム１００の記録装置１０であることを認識したときには、１回複製許可のデジタル映像情報ＤＰを出力する。また、後述するように、再生装置５０は、デジタル出力端子に接続された外部装置が認定装置以外（例えばモニタ装置以外）のときには、複製許可のデジタル映像情報ＤＰのみを出力する。但し、後述する非準拠再生装置等が記録装置１０のデジタル入力端子１１に接続された場合等には、どのような状態のデジタル映像情報ＤＰが入力されるか予想はつかない。
【００６４】
さて、デジタル映像情報ＤＰがデジタル入力端子１１から記録装置１０内に入力されたとき、このデジタル映像情報ＤＰは、切換スイッチ１５、ＣＧＭＳ−Ｄ検出器１６にそれぞれ入力される。そして、切換スイッチ１５に入力されたデジタル映像情報ＤＰは、切換スイッチ１５を介して、電子透かし検出器１８およびフォーマット変換器２１にそれぞれ入力される。
【００６５】
このとき、電子透かし検出器１８は、上述したとおり、デジタル映像情報ＤＰから電子透かしを検出し、この電子透かしに対応する電子透かし情報ＣＰＩ１を記録コントローラ２０に出力する。ＣＧＭＳ−Ｄ検出器１６は、デジタル入力端子１１を介して入力されたデジタル映像情報ＤＰからＣＧＭＳ−Ｄを検出し、このＣＧＭＳ−Ｄに対応するＣＧＭＳ情報ＣＰＩ３を記録コントローラ２０に出力する。
【００６６】
そして、フォーマット変換器２１に入力されたデジタル情報ＤＰは、上述したとおり、スクランブル処理器２３、エラー訂正符号付加器２４、認証符号付加器２５を介して記録器２６に供給され、記録コントローラ２０が記録を許可したときに、記録器２６によってＤＶＤ１に記録される。
【００６７】
さらに、記録コントローラ２０は、ＣＰＵおよびメモリ等を備えており、記録装置１０の全体的な制御、切換スイッチ１５の切換制御および図７に示すような記録制限制御を行う。
【００６８】
次に、記録装置１０にアナログ映像情報ＡＰが入力されたときに、記録コントローラ２０によって行われる記録制限制御ついて図７および図８に従って説明する。
【００６９】
記録装置１０にアナログ映像情報ＡＰが入力されると、記録コントローラ２０は、切換スイッチ１５をアナログ映像情報ＡＰの入力を許可するように切り換える。記録装置１０に入力されたアナログ映像情報ＡＰは、上述したように、アナログ−デジタル変換器１３によって変換されて複製制限符号検出器１９に入力されると共に、アナログ−デジタル変換器１３およびＭＰＥＧエンコーダ１４によってデジタル映像情報ＤＰに変換され、切換スイッチ１５を介して電子透かし検出器１８およびフォーマット変換器２１に入力される。このとき、記録コントローラ２０は、図７に示す記録制限制御を実行する。なお、説明の便宜上、アナログ映像情報ＡＰ、および、このアナログ映像情報ＡＰに基づいて変換されたデジタル映像情報ＤＰを、統一して「映像情報」という。
【００７０】
図７において、記録コントローラ２０は、まず、電子透かし検出器１８から出力された電子透かし情報ＣＰＩ１に基づいて、記録装置１０に入力された映像情報に含まれる電子透かしが、複製禁止を表しているか、１回複製許可を表しているか、または、複製許可を表しているかを判定する（ステップ１）。さらに、記録コントローラ２０は、複製制限符号検出器１９から出力された複製制限情報ＣＰＩ２に基づいて、記録装置１０に入力された映像情報に含まれる複製制限符号が、これ以上複製禁止を表しているか、または、１回複製許可を表しているかを判定する（ステップ２）。さらに、記録コントローラ２０は、ＣＧＭＳ−Ａ検出器１７から出力されるＣＧＭＳ情報ＣＰＩ４に基づいて、記録装置１０に入力された映像情報に含まれるＣＧＭＳが、複製禁止を表しているか、１回複製許可を表しているか、または、複製許可を表しているかを判定する（ステップ３）。
【００７１】
次に、記録コントローラ２０は、ステップ１ないし３の判定結果に基づいて、記録装置１０に入力された映像情報のＤＶＤ１への記録を許可するか禁止するかを判定する（ステップ４）。
【００７２】
この映像情報のＤＶＤ１への記録を許可すると判定したとき（ステップ４＝ＹＥＳ）、記録コントローラ２０は、記録の許可を示す記録制御信号ＷＣＳを記録器２６に出力する（ステップ５）。さらに、記録コントローラ２０は、ステップ１ないし３の判定に基づいて、映像情報（正確には、デジタル映像情報ＤＰを構成する各セクタのデータ領域に書き込まれたデジタル映像データ）にスクランブルをかける必要があるか否かを判定する（ステップ７）。映像情報にスクランブルをかける必要があると判定したとき（ステップ７＝ＹＥＳ）、記録コントローラ２０は、切換制御信号ＳＣＳ２を切換スイッチ２３に出力し、スクランブル処理器２２によってスクランブルがかけられた映像情報が記録器２６側に出力されるように切換スイッチ２３を切り換える（ステップ８）。これにより、スクランブルのかかった映像情報が記録器２６によってＤＶＤ１に記録される。
【００７３】
一方、映像情報にスクランブルをかける必要がないと判定したときには（ステップ７＝ＮＯ）、記録コントローラ２０は、切換制御信号ＳＣＳ２を切換スイッチ２３に出力し、スクランブルがかけられていない映像情報が記録器２６側に出力されるように切換スイッチ２３を切り換える（ステップ９）。これにより、スクランブルのかかっていない映像情報が記録器２６によってＤＶＤ１に記録される。
【００７４】
また、ステップ４において、記録装置１０に入力された映像情報のＤＶＤ１への記録を禁止すると判定したときには（ステップ４＝ＮＯ）、記録コントローラ２０は、記録の禁止を示す記録制御信号ＷＣＳを記録器２６に出力する（ステップ６）。これにより、この映像情報のＤＶＤ１への記録は行われない。
【００７５】
ここで、記録装置１０に入力された映像情報（アナログ映像情報ＡＰ）に含まれる電子透かし、複製制限符号およびＣＧＭＳの状態と、これらの状態に対して記録コントローラ２０が実行する制御について図８に従って具体的に説明する。
【００７６】
図８は、電子透かし、複製制限符号およびＣＧＭＳの状態と、これらの状態に対して記録コントローラ２０が実行する制御との関係を示す制御管理表を示している。なお、記録コントローラ２０のメモリには、この制御管理表に対応する制御管理テーブルが記録されており、記録コントローラ２０は、この制御管理テーブルを用いて上記記録制限制御を行う。
【００７７】
制御管理表の第１行に示すように、電子透かしが複製禁止を表しているとき、記録コントローラ２０は、記録装置１０に入力された映像情報が複製禁止であることを認識する。このとき、記録コントローラ２０は、記録の禁止を示す記録制御信号ＷＣＳを記録器２６へ出力する。この結果、複製禁止の映像情報はＤＶＤ１に記録されない。これにより、複製禁止の映像情報が複製されるのを防止することができる。
【００７８】
また、制御管理表の第２行に示すように、電子透かしが１回複製許可を表しており、複製制限符号がこれ以上複製禁止を表しているとき、記録コントローラ２０は、記録装置１０に入力された映像情報が、これ以上複製禁止であることを認識する。このとき、記録コントローラ２０は、記録の禁止を示す記録制御信号ＷＣＳを記録器２６に出力する。これにより、これ以上複製禁止の映像情報はＤＶＤ１に記録されない。従って、本実施形態による記録装置１０によれば、これ以上複製禁止の映像情報が複製されるのを防止することができる。
【００７９】
例えば、図１に示すような衛星放送システム２００から送信される映画等の映像情報は、１回だけ記録が許可される。このため、衛星放送システムから送信される映画等の映像情報には、１回複製許可を表す電子透かし、１回複製許可を表す複製制限符号および１回複製許可を表すＣＧＭＳが埋め込まれる。この映像情報を記録装置１０によりＤＶＤ１に記録するとき、記録装置１０によって、映像情報に含まれるＣＧＭＳが１回複製許可から複製禁止に変更される。さらに、このＤＶＤ１に記録された映像情報を再生装置５０により再生するとき、この映像情報に含まれる複製制限情報が１回複製許可からこれ以上複製禁止に変更される。従って、再生装置５０により再生された段階において、映像情報には、１回複製許可を表す電子透かしと、これ以上複製禁止を表す複製制限符号と、複製禁止を表すＣＧＭＳが含まれることとなる。従って、記録コントローラ２０は、少なくとも、電子透かしが１回複製許可を表しており、複製制限符号がこれ以上複製禁止を表しているときには、この映像情報がこれ以上複製禁止であることを認識し、上述したように、映像情報のＤＶＤ１への記録を禁止する。
【００８０】
さらに、制御管理表の第４行に示すように、電子透かし、複製制限符号およびＣＧＭＳがすべて１回複製許可を表しているとき、記録コントローラ２０は、記録装置１０に入力された映像情報が１回複製禁止であることを認識する。このとき、記録コントローラ２０は、記録の許可を示す記録制御信号ＷＣＳを記録器２６に出力すると共に、スクランブル処理器２２によってスクランブルがかかった映像情報が記録器２６側に出力されるように切換スイッチ２３を切り換える。これにより、１回複製許可の映像情報は、スクランブルがかかった状態でＤＶＤ１に記録される。従って、視聴者は、このＤＶＤ１に記録された映像情報を、再生装置５０以外の非準拠再生装置で再生しようとしても、実際に再生することはできない。なぜなら、再生装置５０以外の非準拠再生装置はスクランブルを解除することができないからである。この結果、１回複製許可の映像情報がＤＶＤ１に記録された後に、非準拠再生装置を介して、さらに複製されるのを防止することができる。ここで、非準拠再生装置とは、デジタル映像情報ＤＰまたはアナログ映像情報ＡＰ内に含まれる電子透かし、複製制限符号およびＣＧＭＳのそれぞれの配置、判定方法、スクランブル処理方法およびスクランブル解除方法等を定めた複製制限に関する所定の規則に準拠していない他の再生装置を意味する。
【００８１】
さらに、制御管理表の第８行に示すように、電子透かしおよびＣＧＭＳがそれぞれ複製許可を表しているとき、記録コントローラ２０は、記録装置１０に入力された映像情報が複製許可であることを認識する。このとき、記録コントローラ２０は、記録の許可を示す記録制御信号ＷＣＳを記録器２６に出力すると共に、スクランブルがかかっていない映像情報が記録器２６側に出力されるように切換スイッチ２３を切り換える。これにより、複製許可の映像情報は、スクランブルがかかっていない状態でＤＶＤ１に記録される。
【００８２】
なお、制御管理表の第３行、第５行、第６行または第７行に示すように、電子透かし、複製制限符号およびＣＧＭＳの間で矛盾があるとき、記録コントローラ２０は、不正に改竄された可能性がある映像情報が記録装置１０に入力されたことを認識する。このとき、記録コントローラ２０は、記録の禁止を示す記録制御信号ＷＣＳを記録器２６出力する。これにより、不正に改竄された可能性がある映像情報はＤＶＤ１に記録されない。従って、本実施形態による記録装置１０によれば、不正に改竄された可能性がある映像情報が複製されるのを防止することができる。
【００８３】
（４）再生装置
次に、本発明の実施形態による再生装置５０について図９ないし図１１に従って詳細に説明する。
【００８４】
図９に示すように、再生装置５０は、再生器５１、認証符号検出器５２、エラー訂正器５３、ＣＧＭＳ−Ｄ検出器５４、スクランブル解除器５５、再生コントローラ５６、切換スイッチ５７、デジタル出力制御器５８、デジタル出力端子５９、フォーマット変換器６０、電子透かし検出器６１、ＭＰＥＧデコーダ６２、複製制限符号変更器６３、デジタル−アナログ変換器６４、アナログ出力端子６５および前記再生器５１内に設けられたディスク判別器７０を備えている。
【００８５】
再生器５１は、再生コントローラ５６が読出を許可したとき、ＤＶＤに記録されたデジタル映像情報ＤＰを読み出し、このデジタル映像情報ＤＰを認証符号検出器５２に出力する。一方、再生コントローラ５６が読み出しを禁止したときには、再生器５１は、デジタル映像情報ＤＰの読み出しを行わない。このような再生器の５１の動作は、再生コントローラ５６から出力される読出制御信号ＲＣＳによって制御される。
【００８６】
さらに、再生器５１内に設けられたディスク判別器７０は、デジタル映像情報ＤＰを読み出すために、再生器５１内に挿入されたＤＶＤの種類を検出するものである。上述したように、ＤＶＤには、書換不能な再生専用のＤＶＤと、記録可能なＤＶＤとがある。さらに、記録可能なＤＶＤには、１回だけ記録が可能なＤＶＤ（DVD-Write Once）および何回も読み書き可能なＤＶＤ（DVD-RewrteableまたはDVD-RAM）等がある。ディスク判別器７０は、後述するように、再生器５１によって再生されるＤＶＤが、再生専用のＤＶＤであるか、記録可能なＤＶＤであるかを判定し、この判定結果を示すディスク識別情報ＭＩＤを再生コントローラ５６に出力する。
【００８７】
認証符号検出器５２は、再生器５１によって読み出されたデジタル映像情報ＤＰ内に認証符号が存在するか否かを検出する。認証符号の存在が検出できたときには、認証符号検出器５２は、デジタル映像情報ＤＰ内から認証符号を読み出し、この認証符号に対応する認証情報ＣＭＩを再生コントローラ５６に出力する。一方、認証符号の存在が検出できなかったときには、認証符号検出器５６は、認証符号が検出できなかったことを示す情報を再生コントローラ５６に出力する。なお、上述したように、認証符号にスクランブル解除情報を含ませた場合には、認証符号検出器５２は、スクランブル解除情報をスクランブル解除器５５に出力する。
【００８８】
認定符号検出器５２から出力されたデジタル映像情報ＤＰは、エラー訂正器５３によってエラー訂正され、ＣＧＭＳ−Ｄ検出器５４に入力される。ＣＧＭＳ−Ｄ検出器５４は、デジタル映像情報ＤＰからＣＧＭＳ−Ｄを検出し、このＣＧＭＳ−Ｄに対応するＣＧＭＳ情報ＣＰＩ３を再生コントローラ５６に出力する。
【００８９】
ＣＧＭＳ−Ｄ検出器５４から出力されたデジタル映像情報ＤＰは、スクランブル解除器５５および切換スイッチ５７にそれぞれ出力される。スクランブル解除器５５は、デジタル映像情報ＤＰに含まれるデジタル映像データにスクランブルがかかっているか否かを検出する。スクランブルがかかっているとき、スクランブル解除器５５は、スクランブルがかかっていることを示す検出情報ＤＣＩを再生コントローラ５６および切換スイッチ５７に出力すると共に、このスクランブルを解除し、スクランブルが解除されたデジタル映像情報ＤＰを切換スイッチ５７に出力する。なお、上述したように、認証符号に上述したスクランブル解除情報を含ませた場合には、スクランブル解除器５５は、認証符号検出器５２から出力されるスクランブル解除情報を用いてスクランブルを解除する。一方、デジタル映像情報ＤＰにスクランブルがかかっていないときには、スクランブル解除器５５は、スクランブルがかかっていないことを示す検出情報ＤＣＩを再生コントローラ５６および切換スイッチ５７に出力する。
【００９０】
切換スイッチ５７は、ＣＧＭＳ−Ｄ検出器５４から直接出力されたデジタル映像情報ＤＰと、ＣＧＭＳ−Ｄ検出器５４からスクランブル解除器５５を介して出力されたデジタル映像情報ＤＰとを切り換えるためのスイッチである。切換スイッチ５７の切換制御は、スクランブル解除器５５から出力される検出情報ＤＣＩ等に基づいて行われる。これにより、デジタル映像情報ＤＰにスクランブルがかかっていないときには、ＣＧＭＳ−Ｄ検出器５４から出力されたデジタル映像情報ＤＰが、そのまま切換スイッチ５７を介してデジタル出力制御器５８に出力される。一方、デジタル映像情報ＤＰにスクランブルがかかっているときには、スクランブル解除器５５によってスクランブルが解除されたデジタル映像情報ＤＰが、切換スイッチ５７を介してデジタル出力制御器５８に出力される。
【００９１】
デジタル出力制御器５８は、再生装置５０のデジタル出力制御を行うものである。デジタル出力制御器５８の出力部はデジタル出力端子５９に接続されており、さらにデジタル出力端子５９は、デジタルバスを介して外部装置（いずれも図示せず）に接続されている。デジタル出力制御器５８は、この外部装置と前記デジタルバスを介して双方向通信を行い、外部装置の種別を示す種別情報ＤＶＩを取得し、この種別情報ＤＶＩを再生コントローラ５６に出力する。この種別情報ＤＶＩは、再生コントローラ５６によって実行される後述の再生制限制御に用いられる。再生コントローラ５６は、再生制限制御において、デジタル映像情報ＤＰの外部装置への出力を許可または禁止するための出力制御信号ＯＣＳをデジタル出力制御器５８に出力する。デジタル出力制御器５８は、再生コントローラ５６が出力を許可したときに、切換スイッチ５７を介して出力されたデジタル映像情報ＤＰをデジタルの状態のまま再生装置５０から外部装置に出力する。一方、再生コントローラ５６が出力を禁止したときには、デジタル出力制御器５８は、デジタル映像情報ＤＰの外部装置への出力を行わない。
【００９２】
切換スイッチ５７から出力されたデジタル映像情報ＤＰは、デジタル出力制御器５８だけでなく、フォーマット変換器６０にも出力される。フォーマット変換器６０は、デジタル映像情報ＤＰのデータフォーマットをアナログ出力するためのデータフォーマットに変換する。なお、再生器５１によってＤＶＤから読み出された情報が、例えば、映画を再生するための情報である場合には、読み出された情報内には、デジタル映像情報ＤＰだけでなく音声情報等も含まれている。このような場合、フォーマット変換器６０は、デジタル映像情報ＤＰと音声情報等を分離する。そして、音声情報は図示しない音声処理回路に出力される。
【００９３】
データフォーマットが変換されたデジタル映像情報ＤＰは、電子透かし検出器６１に入力される。電子透かし検出器６１は、デジタル映像情報ＤＰに含まれる電子透かしを検出し、この電子透かしに対応する電子透かし情報ＣＰＩ１を再生コントローラ５６に出力する。
【００９４】
さらに、デジタル映像情報ＤＰは、ＭＰＥＧデコーダ６２においてＭＰＥＧ２に基づく復号化方式によって復号化され、複製制限符号変更器６３に入力される。複製制限符号変更器６３は、再生コントローラ５６から複製制限符号変更器６３に変更制御信号ＣＣＳが出力されたときに、デジタル映像情報ＤＰに含まれる複製制限符号を１回複製許可から複製禁止に変更する。なお、再生コントローラ５６において実行される再生制限制御に、デジタル映像情報ＤＰに含まれる複製制限符号が必要な場合には、複製制限符号変更器６３は、変更される前の複製制限符号をＭＰＥＧ２複合されたデジタル映像情報ＤＰから検出し、この複製制限符号に対応する複製制限情報ＣＰＩ２を再生コントローラ５６に出力する。
【００９５】
複製制限符号変更器６３から出力されたデジタル映像情報ＤＰは、デジタル−アナログ変換器６４によってデジタル−アナログ変換され、アナログ映像情報ＡＰとしてアナログ出力端子６５から外部に出力される。これにより、例えば、アナログ出力端子６５にモニタ装置を接続した場合には、モニタ装置に画像または映像が表示される。
【００９６】
さらに、再生コントローラ５６は、ＣＰＵおよびメモリ等を備えており、再生装置５０の全体的な制御および図１０に示すような再生制限制御を行う。
【００９７】
ここで、再生コントローラ５６によって行われる再生制限制御について図１０および図１１に従って説明する。
【００９８】
まず、再生コントローラ５６は、読出を許可する読出制御信号ＲＣＳを再生器５１に出力する。これにより、再生器５１は、ＤＶＤからのデジタル映像情報ＤＰの読出を開始する。そして、再生コントローラ５６は、図１０に示す再生制限制御を実行する。
【００９９】
図１０において、再生コントローラ５６は、電子透かし検出器６１から出力される電子透かし情報ＣＰＩ１に基づいて、再生器５１によって読み出されたデジタル映像情報ＤＰが、複製禁止を表しているか、１回複製許可を表しているか、または、複製許可を表しているかを判定する（ステップ１１）。さらに、ＣＧＭＳ−Ｄ検出器５４から出力されるＣＧＭＳ情報ＣＰＩ３に基づいて、再生器５１によって読み出されたデジタル映像情報ＤＰが、複製禁止を表しているか、１回複製許可を表しているか、または、複製許可を表しているかを判定する（ステップ１２）。さらに、ディスク判別器７０から出力されるディスク識別情報ＭＩＤに基づいて、再生器５１によって再生されるＤＶＤが再生専用のＤＶＤか、記録可能なＤＶＤかを判定する（ステップ１３）。さらに、スクランブル解除器５５から出力される検出情報ＤＣＩに基づいて、再生器５１によって読み出されたデジタル映像情報ＤＰに含まれるデジタル映像データにスクランブルがかかっているか否かを判定する（ステップ１４）。さらに、認証符号検出器５２から出力される認証情報ＣＭＩに基づいて、再生器５１によって読み出されたデジタル映像情報ＤＰに認証符号が付加されているか否かを判定する（ステップ１５）。
【０１００】
次に、再生コントローラ５６は、上記ステップ１１〜１５の判定結果に基づいて、再生器５１によるデジタル映像情報ＤＰの読出を許可するか禁止するかを判定する（ステップ１６）。
【０１０１】
再生器５１によるデジタル映像情報ＤＰの読出を許可すると判定したとき（ステップ１６＝ＹＥＳ）、再生コントローラ５６は、読出の許可を示す読出制御信号ＲＣＳを再生器５１に出力する（ステップ１７）。これにより、再生器５１は、デジタル制御情報ＤＰの読出を続行する。さらに、再生コントローラ５６は、上記ステップ１１〜１５の判定結果に基づいて、再生器５１によって読み出されたデジタル映像情報ＤＰに含まれる複製制限符号を１回複製許可からこれ以上複製禁止に変更する必要があるか否か判定する（ステップ１９）。複製制限符号を変更する必要があると判定したときには（ステップ１９＝ＹＥＳ）、再生コントローラ５６は、複製制限符号の変更を指示する変更制御信号ＣＣＳを複製制限符号変更器６３に出力する（ステップ２０）。これにより、複製制限符号変更器６３は、再生器５１から読み出されたデジタル映像情報ＤＰに含まれる複製制限符号を１回複製許可からこれ以上複製禁止に変更する。そして、複製制限符号が変更されたデジタル映像情報ＤＰは、デジタル−アナログ変換器６４によってアナログ映像情報ＡＰに変換され、アナログ出力端子６５から外部にアナログ出力される。なお、上述したとおり、再生器５１から読み出されたデジタル映像情報ＤＰにスクランブルがかかっていた場合には、スクランブルは、スクランブル解除器５５によって解除されている。
【０１０２】
一方、ステップ１９において、複製制限符号を変更する必要がないと判定したときには（ステップ１９＝ＮＯ）、再生コントローラ５６は、複製制限符号を変更を指示する変更制御信号ＣＣＳを出力しない。これにより、複製制限符号変更器６３は、再生器５１から読み出されたデジタル映像情報ＤＰに含まれる複製制限符号を変更しない。そして、このデジタル映像情報ＤＰは、デジタル−アナログ変換器６４によってアナログ映像情報ＡＰに変換され、アナログ出力端子６５から外部にアナログ出力される。
【０１０３】
さらに、再生コントローラ５６は、デジタル出力制御器５８から出力される種別情報ＤＶＩに基づいて、デジタル出力端子５９にデジタルバスを介して接続されている外部装置の種別が、再生コントローラ５６のメモリに予め登録されている認定装置の種別と一致するか否かを判定する（ステップ２１）。
【０１０４】
ここで、再生コントローラ５６のメモリには、再生装置５０から出力されるデジタル映像情報ＤＰを受け取ることができ、このデジタル映像情報ＤＰを記録媒体に記録する機能を備えていない認定装置の種別情報が予め登録されている。例えば、再生コントローラ５６のメモリには、この認定装置として、デジタルモニタ装置が登録されている。
【０１０５】
そして、ステップ２１の判定の結果、デジタル出力端子５９にデジタルバスを介して接続されている外部装置の種別が、再生コントローラ５６のメモリに予め登録されている認定装置の種別と一致するとき（ステップ２１＝ＹＥＳ）、再生コントローラ５６は、デジタル映像情報ＤＰのデジタル出力の許可を示す出力制御信号ＯＣＳをデジタル出力制御器５８に出力する（ステップ２２）。これにより、デジタル出力制御器５８は、デジタル映像情報ＤＰをデジタル出力端子５９から外部装置に向けて出力する。即ち、再生器５１によって読み出されたデジタル映像情報ＤＰは、アナログ出力端子６５からアナログ出力されるだけでなく、デジタル出力端子５９からデジタル出力される。
【０１０６】
一方、ステップ２１の判定の結果、デジタル出力端子５９にデジタルバスを介して接続されている外部装置の種別が、再生コントローラ５６のメモリに予め登録されている認定装置の種別と一致しないときには（ステップ２１＝ＮＯ）、再生コントローラ５６は、デジタル映像情報ＤＰのデジタル出力の禁止を示す出力制御信号ＯＣＳをデジタル出力制御器５８に出力する（ステップ２３）。これにより、再生器５１によって読み出されたデジタル映像情報ＤＰのアナログ出力は行われるが、デジタル出力は行われない。
【０１０７】
また、ステップ１６において、再生器５１によるデジタル映像情報ＤＰの読出を禁止すると判定したときには（ステップ１６＝ＮＯ）、再生コントローラ５６は、読出の禁止を示す読出制御信号ＲＣＳを再生器５１に出力する（ステップ１８）。これにより、再生器５１によるデジタル映像情報ＤＰの読出は中止される。従って、デジタル映像情報ＤＰのアナログ出力もデジタル出力も行われない。
【０１０８】
ここで、再生器５１によって読み出されたデジタル映像情報ＤＰに含まれる電子透かしおよびＣＧＭＳ等の状態と、これらの状態に対して再生コントローラ５６が実行する制御について図１１に従って具体的に説明する。
【０１０９】
図１１は、電子透かしおよびＣＧＭＳ等の状態と、これらの状態に対して再生コントローラ５６が実行する制御との関係を示す制御管理表を示している。なお、再生コントローラ５６のメモリには、この制御管理表に対応する制御管理テーブルが記録されており、再生コントローラ５６は、この制御管理テーブルを用いて上記再生制限制御を行う。
【０１１０】
制御管理表の第１行に示すように、電子透かしおよびＣＧＭＳがそれぞれ複製禁止を表しているとき、再生コントローラ５６は、ＤＶＤから読み出されたデジタル映像情報ＤＰが複製禁止であることを認識する。さらに、制御管理表の第１行に示すように、再生器５１によって再生されるＤＶＤが再生専用のとき、再生コントローラ５６は、再生しようとしているＤＶＤが、複製禁止のデジタル映像情報ＤＰが予め記録された再生専用のＤＶＤ、例えば、映画等が予め記録されて市販されたＤＶＤであることを認識する。さらに、制御管理表の第１行に示すように、再生装置５０のデジタル出力端子５９に接続されている外部装置の種別が、上述した認定装置の種別と一致しないとき、再生コントローラ５６は、外部装置がデジタル映像情報ＤＰをデジタルの状態のままで記録する機能を備えている可能性があることを認識する。このとき、再生コントローラ５６は、読出の許可を示す読出制御信号ＲＳＣを再生器５１に出力すると共に、デジタル映像情報ＤＰのデジタル出力の禁止を示す出力制御信号ＯＣＳをデジタル出力制御器５８に出力する。これにより、複製禁止のデジタル映像情報ＤＰはアナログ映像情報ＡＰに変換されてアナログ出力されるが、複製禁止のデジタル映像情報ＤＰのデジタル出力は行われない。従って、視聴者は、複製禁止のデジタル映像情報ＤＰによる画像または映像を、例えば、再生装置５０のアナログ出力端子６５に接続されたアナログモニタ装置で見ることができる。しかしながら、視聴者は、再生装置５０のデジタル出力端子５９に記録装置を接続し、複製禁止のデジタル映像情報ＤＰをデジタル伝送によって複製することはできない。このように、本実施形態による再生装置５０によれば、複製禁止のデジタル映像情報ＤＰのデジタル伝送による複製を防止することができる。
【０１１１】
一方、制御管理表の第２行に示すように、再生装置５０のデジタル出力端子５９に接続されている外部装置の種別が、上述した認定装置の種別と一致するとき、再生コントローラ５６は、外部装置がデジタル映像情報ＤＰをデジタルのままで記録する機能を備えていないことを認識する。このとき、再生コントローラ５６は、デジタル映像情報ＤＰのデジタル出力の許可を示す出力制御信号ＯＣＳをデジタル出力制御器５８に出力する。これにより、複製禁止のデジタル映像情報ＤＰは、アナログ映像情報ＡＰに変換されてアナログ出力されると共に、デジタル出力される。従って、例えば再生装置５０のデジタル出力端子５９にデジタル表示装置が接続されている場合には、視聴者は、複製禁止のデジタル映像情報ＤＰによる画像または映像を、このデジタル表示装置によって見ることができる。
【０１１２】
また、制御管理表の第３行に示すように、電子透かしおよびＣＧＭＳがそれぞれ複製禁止を表しているにも拘わらず、再生器５１によって再生されるＤＶＤが記録可能であるとき、再生コントローラ５６は、複製禁止のデジタル映像情報ＤＰが複製禁止を無視してＤＶＤに記録されていることを認識する。即ち、複製禁止のデジタル映像情報ＤＰはＤＶＤに記録することが一切禁止されているため、複製禁止のデジタル映像情報ＤＰが記録されているＤＶＤは常に再生専用のＤＶＤであるはずである。従って、複製禁止のデジタル映像情報ＤＰが記録可能なＤＶＤに記録されているということは、異常な記録状態であり、このデジタル映像情報ＤＰが複製禁止を無視して複製されたことを意味する。このような場合、再生コントローラ５６は、読出の禁止を示す読出制御信号ＲＳＣを再生器５１に出力する。これにより、複製禁止を無視して複製されたデジタル映像情報ＤＰは、再生器５１によって読み出されず、アナログ出力もデジタル出力もされない。
【０１１３】
また、制御管理表の第７行に示すように、電子透かしが１回複製許可を表しており、かつ、ＣＧＭＳが複製禁止を表しているとき、再生コントローラ５６は、ＤＶＤから読み出されたデジタル映像情報ＤＰがこれ以上複製禁止であることを認識する。さらに、制御管理表の第７行に示すように、デジタル映像情報ＤＰにスクランブルがかかっており、かつ、デジタル映像情報ＤＰ内に認証符号が存在するとき、再生コントローラ５６は、ＤＶＤから読み出されたデジタル映像情報ＤＰが記録装置１０によって記録されたものであることを認識する。さらに、制御管理表の第７行に示すように、再生装置５０のデジタル出力端子５９に接続されている外部装置の種別が、上述した認定装置の種別と一致しないとき、再生コントローラ５６は、外部装置がデジタル映像情報ＤＰをデジタルのまま記録する機能を備えている可能性があることを認識する。このとき、再生コントローラ５６は、読出の許可を示す読出制御信号ＲＳＣを再生器５１に出力し、デジタル映像情報ＤＰのデジタル出力の禁止を示す出力制御信号ＯＣＳをデジタル出力制御器５８に出力し、変更制御信号ＣＣＳを複製制限符号変更器６３に出力する。これにより、これ以上複製禁止のデジタル映像情報ＤＰは、複製制限符号が１回複製許可からこれ以上複製禁止に変更されてから、アナログ映像情報ＡＰに変換されてアナログ出力される。従って、視聴者は、再生装置５０のアナログ出力端子６５に記録装置１０を接続してこれ以上複製禁止のアナログ映像情報ＡＰを複製しようとしても、複製することができない。なぜなら、記録装置１０が、これ以上複製禁止に変更された複製制限符号を検出して、記録を行わないからである。このように、本実施形態による記録再生システム１００によれば、これ以上複製禁止のデジタル映像情報ＤＰのアナログ伝送による複製を防止することができる。
【０１１４】
一方、制御管理表の第８行に示すように、再生装置５０のデジタル出力端子５９に接続されている外部装置の種別が、上述した認定装置の種別と一致するとき、再生コントローラ５６は、外部装置がデジタル映像情報ＤＰをデジタルのままで記録する機能を備えていないことを認識する。このとき、再生コントローラ５６は、デジタル映像情報ＤＰのデジタル出力の許可を示す出力制御信号ＯＣＳをデジタル出力制御器５８に出力する。これにより、これ以上複製禁止のデジタル映像情報ＤＰは、アナログ映像情報ＡＰに変換されてアナログ出力されると共
に、デジタル出力される。
【０１１５】
さらに、制御管理表の第１０行に示すように、電子透かしが１回複製許可を表しており、かつ、ＣＧＭＳが複製禁止を表しているとき、再生コントローラ５６は、ＤＶＤから読み出されたデジタル映像情報ＤＰがこれ以上複製禁止であることを認識する。ところが、制御管理表の第１０行に示すように、デジタル映像情報ＤＰにスクランブルがかかっていないときには、再生コントローラ５６は、記録装置１０以外の非準拠記録装置によってＤＶＤに記録されたものであることを認識する。ここで、非準拠記録装置とは、デジタル映像情報ＤＰまたはアナログ映像情報ＡＰ内に含まれる電子透かし、複製制限符号およびＣＧＭＳのそれぞれの配置、判定方法、スクランブル処理方法およびスクランブル解除方法等を定めた複製制限に関する所定の規則に準拠していない他の記録装置を意味する。このとき、再生コントローラ５６は、読出の禁止を示す読出制御信号ＲＣＳを再生器５１に出力する。これにより、非準拠記録装置によって記録されたデジタル映像情報ＤＰの再生および出力は行われない。従って、非準拠記録装置でデジタル映像情報ＤＰの複製を行った者は、その複製したデジタル映像情報ＤＰを再生装置５０によって再生することができないため、複製したことによる利益を得ることができず、不便さを感じる。この結果、非準拠記録装置または非準拠再生装置によって行われるデジタル映像情報ＤＰまたはアナログ映像情報ＡＰの無制限な複製を減少させることができる。
【０１１６】
また、制御管理表の第１７行に示すように、電子透かしおよびＣＧＭＳがそれぞれ複製許可を表しており、かつ、再生しようとしているＤＶＤが再生専用であるとき、再生コントローラ５６は、ＤＶＤから読み出されたデジタル映像情報ＤＰが複製許可であることを認識する。このとき、再生コントローラ５６は、読出の許可を示す読出制御信号ＲＳＣを再生器５１に出力し、デジタル映像情報ＤＰのデジタル出力の許可を示す出力制御信号ＯＣＳをデジタル出力制御器５８に出力する。これにより、複製許可のデジタル映像情報ＤＰは、アナログ映像情報ＡＰに変換されてアナログ出力されると共に、デジタル出力される。従って、本実施形態による再生装置５０によれば、複製許可のデジタル映像情報ＤＰを、アナログとデジタルの２種類の形態で出力することができる。
【０１１７】
また、制御管理表の第１９行に示すように、電子透かしおよびＣＧＭＳがそれぞれ複製許可を表しており、かつ、再生しようとしているＤＶＤが記録可能であるとき、再生コントローラ５６は、ＤＶＤから読み出されたデジタル映像情報ＤＰが複製許可であることを認識する。さらに、再生コントローラ５６は、制御管理表の第１９行に示すように、デジタル映像情報ＤＰにスクランブルがかかっていないことを確認し、ＤＶＤから読み出されたデジタル映像情報ＤＰが正常であることを認識する。このとき、再生コントローラ５６は、制御管理表の第１７行と同様な制御を行う。これにより、複製許可のデジタル映像情報ＤＰがアナログ出力されると共に、デジタル出力される。
【０１１８】
さらに、制御管理表の第４行、第５行、第１１行、第１２行または第１６行に示すように、電子透かしとＣＧＭＳが互いに矛盾しているとき、制御管理表の第９行に示すように、デジタル映像情報ＤＰにスクランブルがかかっているにも拘わらずデジタル映像情報ＤＰ内に認証情報が存在しないとき、または、制御管理表の第１８行に示すように、電子透かしとＣＧＭＳがそれぞれ複製許可を表しているにも拘わらず、デジタル映像情報ＤＰにスクランブルがかかっているとき、再生コントローラ５６は、不正に改竄された可能性があるデジタル映像情報ＤＰがＤＶＤに記録されていることを認識する。このとき、再生コントローラ５６は、読出の禁止を示す読出制御信号ＲＣＳを再生器５１に出力する。これにより、不正に改竄された可能性があるデジタル映像情報ＤＰが再生され、再生装置５０から外部に出力されるのを防止することができる。
【０１１９】
なお、制御管理表の第１３行ないし第１５行では、電子透かしが複製許可を表しており、ＣＧＭＳが複製禁止を表している。このような場合には、再生コントローラ５６は、制御管理表の第１行ないし第３行と同様な制御を行う。
【０１２０】
（５）ディスク判別器
次に、再生器５１内に設けられたディスク判別器７０について図１２および図１３に従って説明する。本実施形態によるディスク判別器７０は、再生器５１によって再生されるＤＶＤの情報記録面上に形成されたトラックがウォブルを有するか否かを検出することにより、このＤＶＤが、再生専用のＤＶＤであるか、記録可能なＤＶＤであるかを判定する。
【０１２１】
即ち、再生専用のＤＶＤの情報記録面上には、デジタル映像情報ＤＰ等に対応する凹凸の位相ピットが螺旋状に予め配置されている。一方、図１２に示すように、記録可能なＤＶＤ１の情報記録面１Ａ上には、デジタル映像情報ＤＰ等を記録するためのグルーブトラック８１と、デジタル映像情報ＤＰ等の記録に用いられる光ビームＢを誘導するためのランドトラック８２がそれぞれ螺旋状に予め形成（プリフォーマット）されている。さらに、このグルーブトラック８１には、ウォブル（wobble）が形成されている。ウォブルは、グルーブトラック８１自体を、ＤＶＤ１の回転速度に対応した周波数でうねらせることにより形成される。デジタル映像情報ＤＰ等の実体的な情報をＤＶＤ１に記録するとき、記録装置は、ウォブルの周波数に基づいてＤＶＤ１の回転速度を制御する。なお、図１２は、説明の便宜のため、情報記録面１Ａ上に形成される保護膜を除いた状態のＤＶＤ１を示している。
【０１２２】
このように、記録可能なＤＶＤ１の情報記録面上にはウォブルを有するグルーブトラック８１が形成されているのに対し、再生専用のＤＶＤの情報記録面上にはこのようなグルーブトラックは存在せず、もちろん、ウォブルも存在しない。従って、ＤＶＤの情報記録面上にウォブルが存在するか否かを検出することにより、記録可能なＤＶＤと再生専用のＤＶＤとの識別が可能となる。
【０１２３】
図１３は、ＤＶＤから情報を読み取る光学系において４分割フォトディテクタを用いた場合のディスク判別器７０の構成を示している。図１３において、４分割フォトディテクタ７１は、４つの検出領域７１Ａ、７１Ｂ、７１Ｃおよび７１Ｄを有しており、４分割フォトディテクタ７１にＤＶＤからの反射光がＲＬが照射されると、検出領域７１Ａ〜７１Ｄは、この反射光ＲＬの光量に対応する信号Ｉａ、Ｉｂ、ＩｃおよびＩｄをそれぞれ出力する。信号Ｉａ、Ｉｂ、ＩｃおよびＩｄは、それぞれ電流−電圧変換器７２の各変換部７２Ａ、７２Ｂ、７２Ｃおよび７２Ｄにおいてそれぞれ電流−電圧変換され、加算器７３の加算部７３Ａおよび７３Ｂにおいてそれぞれ加算される。さらに、加算部７３Ａおよび７３Ｂから出力された各信号は減算器７４において減算される。これにより、減算器７４からは、下記の数式１に示すような、プッシュプル信号ＰＰＳが出力される。
【０１２４】
【数１】
ＰＰＳ＝（Ｉａ＋Ｉｂ）−（Ｉｃ＋Ｉｄ）
このプッシュプル信号ＰＰＳには、トラッキングサーボ制御に用いられるトラッキング誤差信号とウォブル信号が含まれている。トラッキング誤差信号とウォブル信号はそれぞれ占有周波数帯域が異なるため、バンドパスフィルタ（ＢＰＦ）７５を用いてプッシュプル信号ＰＰＳからウォブル信号を抽出することができる。
【０１２５】
このようにウォブル信号が抽出されたときには、ディスク判別器７０は、再生器５１によって再生されるＤＶＤが、記録可能なＤＶＤであると判定し、この判定結果を示すディスク識別情報ＭＩＤを再生コントローラ５６に出力する。また、ウォブル信号が抽出されないときには、ディスク判別器７０は、再生器５１によって再生されるＤＶＤが、再生専用のＤＶＤであると判定し、この判定結果を示すディスク識別情報ＭＩＤを再生コントローラ５６に出力する。
【０１２６】
このように、本実施形態によるディスク判別器７０によれば、ウォブルの有無に基づいてＤＶＤが再生専用であるか記録可能であるかを容易かつ確実に識別することができる。
【０１２７】
（６）記録再生システムによる複製制限
本実施形態による記録再生システム１００によれば、記録装置１０および再生装置５０を用いて行われるデジタル映像情報ＤＰの複製を適正に制限することができる。
【０１２８】
例えば、図１４に示すように、▲１▼衛星方法システム２００から送信されたデジタル映像情報ＤＰを、衛星放送受信機３０１を介して記録装置１０に取り込み、▲２▼このデジタル映像情報ＤＰまたは衛星放送受信機３０１によって変換されたアナログ映像情報ＡＰを記録装置１０によってＤＶＤ１に記録し、▲３▼ＤＶＤ１に記録されたデジタル映像情報ＤＰを再生装置５０によって再生し、▲４▼再生装置５０から出力されたデジタル映像情報ＤＰまたはアナログ映像情報ＡＰを再生装置５０に接続された別の記録装置１０によって他のＤＶＤにさらに記録する、といった経路で行われるデジタル映像情報ＤＰの複製を適正に制限することができる。
【０１２９】
特に、再生装置５０から、当該再生装置５０のアナログ出力端子６５に接続された記録装置１０に、これ以上複製禁止のデジタル映像情報ＤＰをアナログ映像情報ＡＰに変換して出力するとき、再生装置５０によって、これ以上複製禁止のデジタル映像情報ＤＰに含まれる複製制限符号が１回複製許可からこれ以上複製禁止に変更されるので、これ以上複製禁止のデジタル映像情報ＤＰが記録装置１０によって記録されるのを防止することができる。
【０１３０】
また、本実施形態による記録装置１０によれば、１回複製許可のデジタル映像情報ＤＰを、スクランブルをかけてからＤＶＤ１に記録するので、このＤＶＤ１に記録されたことによって１回複製許可からこれ以上複製禁止となったデジタル映像情報ＤＰが、複製制限機能を備えていない非準拠再生装置によって再生されるのを防止することができる。従って、この非準拠再生装置を起点として、これ以上複製禁止のデジタル映像情報ＤＰが複製されるのを防止することができる。
【０１３１】
例えば、図１４に示すように、▲１▼衛星方法システム２００から送信されたデジタル映像情報ＤＰを、衛星放送受信機３０１を介して記録装置１０に取り込み、▲２▼このデジタル映像情報ＤＰまたは衛星放送受信機３０１によって変換されたアナログ映像情報ＡＰを記録装置１０によってＤＶＤ１に記録し、▲３▼ＤＶＤ１に記録されたデジタル映像情報ＤＰを非準拠再生装置３０３によって再生しようとしても、非準拠再生装置３０３は、デジタル映像情報ＤＰにかかっているスクランブルを解除できないため、このデジタル映像情報ＤＰを再生することができない。
【０１３２】
さらに、本実施形態による再生装置５０によれば、ディスク判別器７０を設け、再生しようとしているＤＶＤの種類、即ち、再生専用のＤＶＤか、記録可能なＤＶＤかを検出する構成としたから、このディスク判別器７０による検出結果と、電子透かしおよびＣＧＭＳ等によって、複製禁止のデジタル映像情報ＤＰが複製禁止を無視して記録可能なＤＶＤに記録されていることを認識することができる。
【０１３３】
ここで、デジタル映像情報ＤＰが複製禁止を無視してＤＶＤに記録される場合としては、少なくとも次の２通りの場合が考えられる。第１は、ＤＶＤに記録されたデジタル映像情報をＲＦ信号のまま他のＤＶＤに記録するといった不正な複製が行われた場合である。第２は、ＤＶＤに記録されたデジタル映像情報ＤＰが記録装置１０以外の非準拠記録装置によって他のＤＶＤに記録された場合である。本実施形態による再生装置５０によれば、いずれの場合であって、複製禁止を無視してＤＶＤに記録されたデジタル映像情報ＤＰの再生および出力を防止することができる。
【０１３４】
さらに、本実施形態による再生装置５０によれば、これ以上複製禁止のデジタル映像情報ＤＰを再生するとき、デジタル映像情報ＤＰにスクランブルがかかっていないとき、または、デジタル映像情報ＤＰに認証符号が付加されていないときには、このデジタル映像情報ＤＰが記録装置１０によって記録されたものでないと認識し、このデジタル映像情報ＤＰを再生しない構成としたから、次のような効果を奏する。即ち、非準拠記録装置でデジタル映像情報ＤＰをＤＶＤに複製した者は、その複製したデジタル映像情報ＤＰを再生装置５０によって再生することができないため、デジタル映像情報ＤＰを複製したことによる利益を得ることができず、不便さを感じる。従って、非準拠記録装置または非準拠再生装置によって行われるデジタル映像情報ＤＰまたはアナログ映像情報ＡＰの無制限な複製を減少させることができる。
【０１３５】
例えば、図１４に示すように、▲１▼衛星方法システム２００から送信されたデジタル映像情報ＤＰを、衛星放送受信機３０１を介して非準拠記録装置３０２に取り込み、▲２▼このデジタル映像情報ＤＰまたは衛星放送受信機３０１によって変換されたアナログ映像情報ＡＰを非準拠記録装置３０２によってＤＶＤ３に記録し、▲３▼ＤＶＤ３に記録されたデジタル映像情報ＤＰを再生装置５０によって再生しようとしても、再生装置５０は、このデジタル映像情報ＤＰを再生しない。この結果、視聴者は、衛星放送システム２００から送信される映画を非準拠記録装置３０２を用いてＤＶＤ３に記録しても、それを再生装置５０で見ることはできない。
【０１３６】
さらに、本実施形態の記録装置１０および再生装置５０によれば、デジタル映像情報ＤＰ内に含まれる電子透かし、複製制限符号およびＣＧＭＳ等の間に矛盾がある場合には、デジタル映像情報ＤＰの記録または再生を禁止するので、不正に改竄された可能性があるデジタル映像情報ＤＰの記録、再生または複製を防止することができる。
【０１３７】
II．第２の実施形態
次に、本発明の第２の実施形態について図１５ないし図１７に従って説明する。本実施形態による再生装置の特徴は、記録可能なＤＶＤの情報記録面に形成されたループトラックに基づいてＤＶＤの種類を判別することにある。
【０１３８】
図１５に示すように、ＤＶＤ１の情報記録面１Ａには、その内周側から、記録用または再生用の光ビームの強度を設定するための情報等を記録するための記録制御領域９１と、物理フォーマット情報およびディスク製造情報等を記録するためのリードイン領域９２と、デジタル映像情報ＤＰを記録するための記録領域９３と、記録終了時または再生終了時に必要な情報を記録するためのリードアウト領域９４が形成されている。
【０１３９】
また、記録制御領域９１、リードイン領域９２、記録領域９３およびリードアウト領域９４には、図１２に示すようなグルーブトラック８１およびランドトラック８２がそれぞれ形成されている。上述したように、グルーブトラック８１およびランドトラック８２は、ＤＶＤ１の情報記録面１Ａ上を、その内周側から外周側に向けてそれぞれ螺旋状に伸長している。
【０１４０】
さらに、リードイン領域９２内には、例えば５トラックに１つの間隔で、ループトラック９５が形成されている。即ち、図１６に示すように、螺旋状に伸長するグルーブトラック８１の途中において、ＤＶＤ１の半径方向に互いに隣接するグルーブトラック８１の間に位置するランドトラック８２の一部を、これらグルーブトラック８１と同じ高さにして、これらグルーブトラック８１を互いに接続する。これにより、この接続部９５Ａを介してグルーブトラックの無限ループ、即ち、ループトラック９５が形成される。なお、図１６では、説明の便宜のため、グルーブトラック８１に形成されたウォブルを省略している。
【０１４１】
このループトラック９５は、複製制限機能を備えていない非準拠記録装置、例えば、上述した電子透かしまたはＣＧＭＳ等を無視して記録を実行するような記録装置によって、デジタル映像情報ＤＰ等が無制限にＤＶＤ１に複製されるのを防止するための機構である。通常、記録装置は、ＤＶＤ１を回転させた状態で、光ビームＢをグルーブトラック８１上に照射することにより、デジタル映像情報ＤＰ等をグルーブトラック８１上に記録する。このとき、記録装置は、光ビームＢが螺旋状のグルーブトラック８１上を常に照射するように、光ビームＢの照射位置をサーボ制御する。この結果、光ビームＢは、螺旋状のグルーブトラック８１に追従してＤＶＤ１の内周側から外周側へ半径方向に移動する。
【０１４２】
ところが、ループトラック９５は接続部９５Ａを介してループしているため、光ビームＢの照射位置がループトラック９５上に達すると、光ビームＢは、ループトラックから抜け出すことができなくなる。この結果、デジタル映像情報等は、記録が中止されるか、または、ループトラック９５上に何度も上書きされることとなる。従って、ループトラック９５をリードイン領域９２に形成することにより、非準拠記録装置によって、デジタル映像情報ＤＰがデータ記録領域９３に記録されるのを防止することができる。
【０１４３】
なお、複製制限に関する規則に準拠し、複製制限機能を備えた正規の記録装置１０は、上述したようなループトラック９５が形成されている位置を予め知っており、ループトラック９５をとばして複製許可のデジタル映像情報等をデータ領域９３に記録することができる。
【０１４４】
ところで、上述したようなループトラック９５は、記録可能なＤＶＤにのみ存在する。従って、ＤＶＤの情報記録面上にループトラック９５が存在するか否かを検出することにより、再生器で再生されるＤＶＤが再生専用のＤＶＤであるか記録可能なＤＶＤであるかを判定することが可能となる。
【０１４５】
そこで、本実施形態による再生装置は、再生器によって再生されるＤＶＤの情報記録面上にループトラック９５があるか否かを検出することにより、このＤＶＤが再生専用のＤＶＤであるか、記録可能なＤＶＤであるかを判定する。具体的に説明すると、図１７に示すように、ＤＶＤの再生を開始するとき、再生器５１は、リードイン領域９２内の所定のアドレスから５トラックの範囲内に記録された情報を取得し、この取得した情報をディスク識別情報ＤＳＩとして再生コントローラ５６に出力する。さらに、再生コントローラ５６は、当該再生コントローラ５６内に設けられたディスク判定部５６Ａ（例えば制御プログラムによって実現される）により、再生器５１によって取得された情報に欠落があるか否かを判定する。そして、情報に欠落がない場合には、再生コントローラ５６は、再生器５１によって再生されるＤＶＤが再生専用のＤＶＤであると判定し、情報に欠落がある場合には、再生器５１によって再生されるＤＶＤが記録可能なＤＶＤであると判定する。
【０１４６】
このように、本実施形態によれば、ループトラック９５の有無に基づいてＤＶＤが再生専用であるか記録可能であるかを容易かつ確実に識別することができる。
【０１４７】
III．第３の実施形態
次に、本発明の第３の実施形態について図１７ないし図１９に従って説明する。本実施形態による再生装置の特徴は、ＤＶＤのリードイン領域に記録されたディスク情報に基づいて、このＤＶＤが再生専用のＤＶＤであるか、記録可能なＤＶＤであるかを判定する。
【０１４８】
上述したように、ＤＶＤの情報記録面上には、リードイン領域が形成されている。このリードイン領域内の所定の場所には、図１８に示すような制御データブロック１２０が記録される。この制御データブロック１２０には、図１８に示すように、物理フォーマット情報１２１およびディスク製造情報１２２等が記録される。さらに、図１９に示すように、物理フォーマット情報１２１の先頭バイト１２３には、ディスク情報１２３ＡおよびＤＶＤ規格書のバージョン情報１２３Ｂが記録される。
【０１４９】
ディスク情報１２３Ａは、ブックタイプと称され、ＤＶＤが準拠している規格を表す情報である。例えば、ディスク情報１２３Ａは４ビットのデータであり、「００００ｂ」が再生専用ディスク（Read-Only Dick）規格を表し、「０００１ｂ」が書換可能ディスク（Rewritable Disc）規格を表し、「００１０ｂ」が記録可能ディスク（Recordable Disc）規格を表す。ＤＶＤが準拠している規格を表すディスク情報は、ＤＶＤの種類と一対一に対応しているため、このディスク情報に基づいて、ＤＶＤの種類を判定することが可能である。
【０１５０】
そこで、本実施形態による再生装置は、ディスク情報に基づいて、再生器によって再生されるＤＶＤが再生専用のＤＶＤであるか、記録可能なＤＶＤであるかを判定する。具体的に説明すると、図１７に示すように、ＤＶＤの再生を開始するとき、再生器５１は、リードイン領域９２内の制御データブロック１２０に記録された物理フォーマット情報１２１からディスク情報１２３Ａが読み出し、このディスク情報１２３Ａをディスク識別情報ＤＳＩとして再生コントローラ５６に出力する。再生コントローラ５６は、当該再生コントローラ５６内に設けられたディスク判定部５６Ａ’（例えば制御プログラムによって実現される）によって、このディスク識別情報ＤＳＩを認識して、再生器５１によって再生されるＤＶＤが再生専用のＤＶＤであるか、記録可能なＤＶＤであるかを判定する。
【０１５１】
このように、本実施形態によれば、ディスク情報１２３Ａの有無に基づいてＤＶＤが再生専用であるか記録可能であるかを容易かつ確実に識別することができる。
【０１５２】
【発明の効果】
以上詳述したとおり、請求項１ないし３のいずれかに記載の情報再生装置によれば、例えば、複製禁止の記録再生情報が記録可能なデジタルディスクに記録されているといった異常な記録状態を検出することができ、このような異常な状態で記録された記録再生情報の再生を禁止することができる。従って、デジタルディスクに記録されたＲＦ信号を直接他のデジタルディスクに記録することによって不正に複製された記録再生情報の再生を防止することができ、記録再生情報の適正な複製制限を実現することができる。
さらに、デジタルディスクの物理的な構造の違いに基づいて、再生専用のデジタルディスクと記録可能なデジタルディスクとの識別を容易かつ確実に行うことができる。
【０１５４】
さらに、請求項２または３に記載の情報再生装置によれば、デジタルディスクの情報記録面上に記録された情報に基づいて、再生専用のデジタルディスクと記録可能なデジタルディスクとの識別を容易かつ確実に識別することができる。
【図面の簡単な説明】
【図１】本発明の第１の実施形態による記録再生システム等を示すブロック図である。
【図２】本発明の第１の実施形態において、アナログ映像情報に対応するビデオ信号を示す波形図である。
【図３】本発明の第１の実施形態において、視聴者が実際に見ることができる可視範囲、画像または映像の形成範囲および複製制限符号の埋込位置を示す説明図である。
【図４】本発明の第１の実施形態において、衛星放送受信機のデジタル出力制御を示すフローチャートである。
【図５】本発明の第１の実施形態において、衛星放送受信機による判定とデジタル出力制御との関係を示す図である。
【図６】本発明の第１の実施形態による記録装置を示すブロック図である。
【図７】本発明の第１の実施形態における記録制限制御を示すフローチャートである。
【図８】本発明の第１の実施形態において、電子透かし、複製制限符号およびＣＧＭＳの状態と、これらの状態に対して記録コントローラが実行する制御との関係を示す図である。
【図９】本発明の第１の実施形態による再生装置を示すブロック図である。
【図１０】本発明の第１の実施形態における再生制限制御を示すフローチャートである。
【図１１】本発明の第１の実施形態において、電子透かしおよびＣＧＭＳ等の状態と、これらの状態に対して再生コントローラが実行する制御との関係を示す図である。
【図１２】本発明の第１の実施形態において、情報記録面上にグルーブトラックおよびランドトラック等が形成された記録可能なＤＶＤの一部を示す斜視図である。
【図１３】本発明の第１の実施形態によるディスク判別器を示す回路図である。
【図１４】本発明の第１の実施形態による記録再生システム、衛星放送システム、非準拠記録装置および非準拠再生装置等を示すブロック図である。
【図１５】本発明の第２の実施形態において、ＤＶＤの情報記録面に形成されたリードイン領域、記録領域およびリードアウト領域等を示す説明図である。
【図１６】本発明の第２の実施形態において、ＤＶＤの情報記録面上に形成されたループトラックを拡大して示す説明図である。
【図１７】本発明の第２または第３の実施形態による再生装置を示すブロック図である。
【図１８】本発明の第３の実施形態において、ＤＶＤに記録された制御データブロックを示す説明図である。
【図１９】本発明の第３の実施形態において、制御データブロックに含まれるディスク情報およびバージョン情報を示す説明図である。
【符号の説明】
１，２，３  ＤＶＤ（記録媒体）
１Ａ  情報記録面
１０  記録装置
１６  ＣＧＭＳ−Ｄ検出器
１７  ＣＧＭＳ−Ａ検出器
１８  電子透かし検出器
１９  複製制限符号検出器
２０  記録コントローラ
２２  スクランブル処理器
２３  切換スイッチ
２５  認証符号付加器
２６  記録器
５０  再生装置
５１  再生器
５２  認証符号検出器
５４  ＣＧＭＳ−Ｄ検出器
５５  スクランブル解除器
５６  再生コントローラ
５６Ａ  ディスク判定部
５７  切換スイッチ
５８  デジタル出力制御器
５９  デジタル出力端子
６１  電子透かし検出器
６３  複製制限符号検出器
６４  デジタル−アナログ変換器
６５  アナログ出力端子
７０  ディスク判別器
９５  ループトラック
９５Ａ  接続部
１００  記録再生システム
１２３Ａ  ディスク情報
【図１】
0004162294.tif 000002
【図２】
0004162294.tif 000003
【図３】
0004162294.tif 000004
【図４】
0004162294.tif 000005
【図５】
0004162294.tif 000006
【図６】
0004162294.tif 000007
【図７】
0004162294.tif 000008
【図８】
0004162294.tif 000009
【図９】
0004162294.tif 000010
【図１０】
0004162294.tif 000011
【図１１】
0004162294.tif 000012
【図１２】
0004162294.tif 000013
【図１３】
0004162294.tif 000014
【図１４】
0004162294.tif 000015
【図１５】
0004162294.tif 000016
【図１６】
0004162294.tif 000017
【図１７】
0004162294.tif 000018
【図１８】
0004162294.tif 000019
【図１９】
0004162294.tif 000020